(57)【要約】  【課題】作業者が現場で手軽に利用することができるシステムであって、作業者の作業履歴を管理できると共に、作業者の作業を支援することが可能な作業履歴管理システムを提供する。  【解決手段】作業履歴管理システム１は、履歴管理サーバ１０と、作業管理用ＰＣ２０と、作業管理用ＰＣ２０と接続可能であって、作業者が作業履歴を入力する際に使用する作業者用携帯端末３０と、を備えている。作業者用携帯端末３０のメモリ３０３には、作業者による作業履歴の入力を支援する入力ガイダンス情報が記録されており、作業者による入力の際に入力ガイダンス情報がスピーカー３８から流される。作業者が入力した作業履歴情報はメモリ３０３に格納され、ＰＣ２０との接続時にＰＣ２０内の記憶装置に内に転送される。【選択図】図５
2008033712.tif 000002
【特許請求の範囲】
【請求項１】
作業者が作業履歴を入力する際に使用する携帯端末と、前記携帯端末と有線若しくは無線による接続又は記録媒体を介した情報のやり取りによって情報伝達が可能な作業履歴管理コンピュータとを有する作業履歴管理システムにおいて、
前記携帯端末は、各種演算を行う演算装置と、作業者によって入力された作業履歴情報を含む各種情報を記録するための記憶装置と、スピーカー及びディスプレイの少なくとも一方と、を備え、前記記憶装置は、作業者による作業履歴入力を支援する、前記スピーカー及び前記ディスプレイの少なくとも一方から出力される入力ガイダンス情報を格納しており、
前記携帯端末を前記履歴管理サーバと有線若しくは無線による接続又は記録媒体を介した情報のやり取りによって、前記携帯端末の記憶装置に記録されている作業履歴情報を前記作業履歴管理コンピュータに転送可能に構成されていることを特徴とする作業履歴管理システム。
【請求項２】
前記携帯端末の記憶装置には、各作業者に割り振られた端末ＩＤが格納されており、前記入力ガイダンス情報は、各作業者に合わせて前記作業履歴管理コンピュータにおいて設定された情報を前記携帯端末に転送させた情報であることを特徴とする請求項１記載の作業履歴管理システム。
【請求項３】
作業者が作業履歴を入力する際に使用する携帯端末であって、作業履歴管理コンピュータと有線若しくは無線による接続又は記録媒体を介した情報のやり取りによって情報伝達が可能な作業者用携帯端末において、
各種演算を行う演算装置と、
作業者によって入力された作業履歴情報を含む各種情報を記録するための記憶装置と、
スピーカー及びディスプレイの少なくとも一方と、を備え、
前記記憶装置は、作業者による作業履歴入力を支援する、前記スピーカー及び前記ディスプレイの少なくとも一方から出力される入力ガイダンス情報を格納しており、
有線若しくは無線による接続又は記録媒体を介した情報のやり取り、前記記憶装置に記録されている作業履歴情報を前記作業履歴管理コンピュータに転送可能に構成されていることを特徴とする作業者用携帯端末。
【請求項４】
前記携帯端末の記憶装置は、作業者により入力された内容が適正な内容であるか否かを判断するための判断情報を格納しており、
前記携帯端末の演算装置は、この判断情報に基づいて、作業者により入力された作業履歴情報が適正な内容であるか否かを判定し、適正な内容でなかった場合には、前記スピーカー及び前記ディスプレイの少なくとも一方からその旨を出力することを特徴とする請求項３記載の携帯端末。
【請求項５】
前記携帯端末の記憶装置は、作業者による作業履歴の入力において用いられる選択肢を予め格納すると共に、前記携帯端末は前記選択肢のそれぞれに割り振られた複数のキーをさらに備えており、作業者は所望の選択肢に割り振られたキーを押すことで選択的に作業履歴を入力できることを特徴とする請求項３又は４記載の携帯端末。
【請求項６】
前記携帯端末は、ＧＰＳ受信器をさらに備えており、
ＧＰＳからの位置情報により、作業者によって作業履歴が入力された位置情報を作業履歴情報の一部として前記記憶装置に格納することを特徴とする請求項３乃至５いずれか１項に記載の携帯端末。
【請求項７】
有線若しくは無線による接続又は記録媒体を介した情報のやり取りが可能な携帯端末及び作業履歴管理コンピュータを用いて作業者の作業履歴を管理する作業履歴管理方法であって、
前記作業管理コンピュータにおいて、各作業者の作業に合わせた入力ガイダンス情報を設定する設定工程と、
前記入力ガイダンス情報を前記作業履歴管理コンピュータから前記携帯端末へと転送する入力ガイダンス情報転送工程と、
前記携帯端末において、前記入力ガイダンス情報をスピーカー又はディスプレイにより作業者に呈示する入力ガイダンス情報呈示工程と、
前記携帯端末において、作業者によって入力された作業履歴情報を記憶装置に格納する作業履歴情報格納工程と、
前記作業履歴情報を前記携帯端末から前記作業履歴管理コンピュータへと転送する作業履歴情報転送工程と、を有することを特徴とする作業履歴管理方法。
【発明の詳細な説明】
【技術分野】
【０００１】
本発明は、農業、畜産、養殖、酪農、工場等における作業者の作業履歴を管理するための作業履歴管理システムに関する。
【背景技術】
【０００２】
近年、農作物や畜産物の食品分野等において、製品の安全性を証明するために、トレーサビリティが注目されている。このため、農作物や畜産物の生産過程における栽培履歴・生産履歴・作業履歴を正確に把握・記録する必要性が高まっている。
【０００３】
しかし、従来、農業の現場において行われた作業履歴（栽培履歴）の管理は、農協の担当者等が、所定の様式の用紙に作業者が手書きで記入したものを集めて、パソコンに入力するなどして行われていた。よって、作業者が記入自体をし忘れたり、作業後に記入しようとしても作業内容を忘れてしまったり、作業者とは別の担当者が入力する際に記入内容の読み違いや入力ミスが起こったりして、正確な作業履歴を記録できないとう問題があった。
【０００４】
このような問題に鑑みて、下記特許文献１乃至４においては、パソコン等の端末を使って作業者に直接栽培履歴、生産履歴、飼育履歴を入力させ、ネットワークを介してサーバにデータを集めることで、作業履歴を管理するシステムが開示されている。
【０００５】
【特許文献１】特開２００４−９４６８８号公報
【特許文献２】特開２００４−３３４６０４号公報
【特許文献３】特開２００５−２３４６３０号公報
【特許文献４】特開２００５−３０４３０７号公報
【０００６】
一方、農業、畜産、養殖等においても、新しい飼料、肥料、農薬、栽培・飼育方法等、新しい技術が次々と開発されており、生産効率の向上を図るためにもこれらの情報を現場の作業者に知らせ、指導するといった支援が必要である。しかし、近年は、特に第一次産業従事者の高齢化が著しく、新技術の導入もなかなか困難な状況にあった。
【０００７】
このような問題に鑑みて、上記特許文献２や下記特許文献５には、ネットワークを介して、作業者が所有するパソコン等の端末に、農産物の生産に必要な種々の情報を提供する農業経営管理支援システムや農業資材判別方法が開示されている。
【０００８】
【特許文献５】特開２００２−４１５９９号公報
【発明の開示】
【発明が解決しようとする課題】
【０００９】
しかしながら、上記特許文献１乃至４に記載のシステムは、作業者にパソコンでの入力を要求するものであり、コンピュータに不慣れな高齢者にとっては、入力操作が難しく、手軽に利用できるものではなく、現実にはシステムの普及はなかなか進んでいない。
【００１０】
また、特許文献２や特許文献５に記載の農業経営管理支援システムや農業資材判別方法も、同様に作業者に煩雑なパソコンの操作を要求するものであり、気軽に利用できる技術ではない。
【００１１】
本発明は、このような課題を解決するためになされたものであり、農業、畜産、養殖、酪農、工場等における作業者が現場で手軽に利用することができるシステムであって、作業者の作業履歴を管理できると共に、作業者の作業を支援することが可能な作業履歴管理システムを提供することを目的とする。
【課題を解決するための手段】
【００１２】
上記課題を解決するために、本発明に係る作業履歴管理システムは、作業者が作業履歴を入力する際に使用する携帯端末と、前記携帯端末と有線若しくは無線による接続又は記録媒体を介した情報のやり取りによって情報伝達が可能な作業履歴管理コンピュータとを有する作業履歴管理システムにおいて、前記携帯端末は、各種演算を行う演算装置と、作業者によって入力された作業履歴情報を含む各種情報を記録するための記憶装置と、スピーカー及びディスプレイの少なくとも一方と、を備え、前記記憶装置は、作業者による作業履歴入力を支援する、前記スピーカー及び前記ディスプレイの少なくとも一方から出力される入力ガイダンス情報を格納しており、前記携帯端末を前記履歴管理サーバと有線若しくは無線による接続又は記録媒体を介した情報のやり取りによって、前記携帯端末の記憶装置に記録されている作業履歴情報を前記作業履歴管理コンピュータに転送可能に構成されていることを特徴とする。
【００１３】
また、本発明に係る作業者用携帯端末は、作業者が作業履歴を入力する際に使用する携帯端末であって、作業履歴管理コンピュータと有線若しくは無線による接続又は記録媒体を介した情報のやり取りによって情報伝達が可能な作業者用携帯端末において、各種演算を行う演算装置と、作業者によって入力された作業履歴情報を含む各種情報を記録するための記憶装置と、スピーカー及びディスプレイの少なくとも一方と、を備え、前記記憶装置は、作業者による作業履歴入力を支援する、前記スピーカー及び前記ディスプレイの少なくとも一方から出力される入力ガイダンス情報を格納しており、有線若しくは無線による接続又は記録媒体を介した情報のやり取り、前記記憶装置に記録されている作業履歴情報を前記作業履歴管理コンピュータに転送可能に構成されていることを特徴とする。
【００１４】
また、本発明に係る作業履歴管理方法は、有線若しくは無線による接続又は記録媒体を介した情報のやり取りが可能な携帯端末及び作業履歴管理コンピュータを用いて作業者の作業履歴を管理する作業履歴管理方法であって、前記作業管理コンピュータにおいて、各作業者の作業に合わせた入力ガイダンス情報を設定する設定工程と、
前記入力ガイダンス情報を前記作業履歴管理コンピュータから前記携帯端末へと転送する入力ガイダンス情報転送工程と、前記携帯端末において、前記入力ガイダンス情報をスピーカー又はディスプレイにより作業者に呈示する入力ガイダンス情報呈示工程と、前記携帯端末において、作業者によって入力された作業履歴情報を記憶装置に格納する作業履歴情報格納工程と、前記作業履歴情報を前記携帯端末から前記作業履歴管理コンピュータへと転送する作業履歴情報転送工程と、を有することを特徴とする。
【発明の効果】
【００１５】
本発明に係る作業履歴管理システムによれば、農業、畜産、養殖、酪農、工場等における作業者が現場で手軽に利用することができるシステムであって、作業者の作業履歴を管理できると共に、作業者の作業を支援することが可能な作業履歴管理システムを提供することができる。
【発明を実施するための最良の形態】
【００１６】
以下、本発明の実施の形態について詳細に説明する。図１は、本実施形態に係る作業履歴管理システム１の全体構成を概略的に示す図である。同図に示すように、作業履歴管理システム１は、インターネットや専用回線等のネットワーク５を介して接続された履歴管理サーバ１０、作業管理用ＰＣ２０、作業者用携帯端末３０とから構成されている。
【００１７】
履歴管理サーバ１０は、本システム１全体を管理するためのサーバであり、サーバ本体１１、ディスプレイ１２、入力手段としてのキーボード１３、マウス等を備えている。図２は、サーバ本体の構成を概略的に示す図である。同図に示すように、サーバ本体１１は、各種演算を行うＣＰＵ等の演算装置１１０、演算装置１１０が作業領域として使用するメモリや各種情報が記憶されたハードディスクドライブ等から構成される記憶装置１２０を備えている。記憶装置１２０は、作業者が作業者用携帯端末３０を使って入力した作業履歴を格納する作業履歴ＤＢ１２１、作業者用携帯端末３０を介して作業者に伝達する作業の内容を格納する作業内容ＤＢ１２２、サーバ１０の機能を実現するためのプログラムを格納するプログラムＤＢ１２３と、を備えている。
【００１８】
図３は、作業履歴ＤＢ１２１内に記録されている情報の内容を示す図である。本実施形態では、農業に従事する作業者の栽培履歴が、作業履歴として作業履歴ＤＢ１２１内に記録されている。後述するように、これらの情報は、作業者が作業者用携帯端末３０を使って入力する。
【００１９】
同図に示すように、作業履歴ＤＢ１２１に格納されている各レコードは、「端末ＩＤ」、「生産者名」、「園地名」、「品種名」、「作業」、「資材名」、「原液量」、「水量」、「入力日時」の項目を有している。端末ＩＤは、各作業者用携帯端末３０に固有に割り振られた番号である。後述するように、本実施形態では、生産者一人に一つの携帯端末３０が割り当てられており、この「端末ＩＤ」は、生産者を識別する識別子としても作用する。この端末ＩＤと生産者名との対応関係は、携帯端末３０の配布時に履歴管理サーバ１０に入力され、記憶装置１２０内に格納されている。
【００２０】
「生産者名」は、作業者用携帯端末３０を使って作業履歴の入力を行った生産者の名前である。「園地名」は、生産者が入力した作業を行った場所を示し、「品種名」は、作業を行った対象である品種の名前を示し、「作業」は、行われた作業の内容を示している。「資材名」は、作業で使われた資材を示しており、図３に示すように、本実施形態では、有機堆肥Ａ、農薬Ａ乃至Ｃが一例として使用されている。
【００２１】
「原液量」は、使用した資材の量（単位：cc）を示し、「水量」は、資材を水で薄める際の水の量（単位：Ｌ）を示している。「入力日時」は、作業者が入力を行った日にち・時間を示している。
【００２２】
図４は、作業内容ＤＢ１２２内に記録されている情報の内容を示している。この作業内容は、携帯端末３０を作業者に配布する際に、その作業者（生産者）の栽培状況に応じて、設定入力される情報である。例えば、農協のアドバイザーと作業者が相談しながら作業内容を設定し、履歴管理サーバ１０内に記録される。なお、後述するように、この作業内容は、作業者が栽培履歴を端末３０に入力する際に選択肢として呈示される情報を含んでおり、作業者の作業履歴入力を支援する入力ガイダンス情報としても機能する。また、この作業内容は、後述するように、端末３０において作業者が入力した履歴情報は適正な内容であるか否かを判別するための判断情報としても機能する。
【００２３】
この作業内容の入力は、作業者管理用ＰＣ２０からなされても良いし、履歴管理サーバ１０から直接入力されても良い。同図は、一例として生産者Ａに関する作業内容を示している。作業内容ＤＢ１２２内には、登録されている全ての生産者（作業者）に関するデータが格納されている。
【００２４】
「園地名」の欄には、生産者Ａが所有する農地の名称が記録されている。図４に示すように、本実施形態では、生産者Ａは、園地Ａ乃至Ｃを有している。このように、園地を識別した作業内容とすることで、各生産者の園地毎に作業履歴を入力・記録することが可能である。「品種名」の欄には、生産者Ａが生産している全品種の名称が記録されている。「作業」の欄には、生産者Ａが行う全ての作業名が記録されている。
【００２５】
「資材名」の欄には、生産者Ａが農作業で使用する肥料や農薬等の名称が記録されている。なお、資材を使用しない作業もあるため、同図に示すように、「未使用」の項目も記録されている。「適正原液量」とは、作業に使用する資材の適正な量を示している。資材が少なすぎても効果が得られず、多すぎても農作物に悪影響を与える場合があるため、本実施形態では適正な範囲を設定している。この適正範囲は、作業内容ＤＢ１２２の設定を行う際に、アドバイザーと生産者が相談をして決定・記録される。なお、本実施形態では、単位としてccを用いているが、適宜変更可能であるのはいうまでもなく、資材が固体の場合には、質量で適正範囲を規定しても良い。
【００２６】
「適正水量」の欄には、資材と混ぜる水の適正な量の範囲が記録されている。「適正倍率」の欄には、資材の原材料（原液）と水との適正な倍率の範囲が記録されている。農薬等の資材を使う際には、適正な倍率の水で薄める必要があるため、本実施形態では、資材の量及び水の量の他に、倍率によっても適正な範囲を規定している。以上、作業内容ＤＢ１２２内に記録されている情報の内容について説明したが、本実施形態の内容は一例であり、設定・登録時に、適宜内容は変更可能である。
【００２７】
次に、作業管理用ＰＣ２０の構成について説明する。作業管理用ＰＣ２０は、作業者用携帯端末３０と定期的に接続して、端末３０に上記作業内容等の情報を転送したり、端末３０内に保存されたデータを収集したりするための装置であり、例えば、農業協同組合の各事務所に設置される。図１には、事務所Ａに設置された作業管理用ＰＣ−Ａ２０−１と、事務所Ｂに設置された作業管理用ＰＣ−Ｂ２０―２とが開示されている。もちろん、作業管理用ＰＣは、ＰＣ操作に慣れている作業者の自宅に設置されても良い。
【００２８】
また、図１に示すように、作業管理用ＰＣ２０は、ＰＣ本体、ディスプレイ、入力手段としてのキーボードやマウス等を備え、ＰＣ本体内には、各種演算を行うＣＰＵ等の演算装置、演算装置が作業領域として使用するメモリや各種情報が記憶されたハードディスクドライブ等から構成される記憶装置を備えている。
【００２９】
ＰＣ２０内の記憶装置内には、履歴管理サーバ１０に格納されている作業履歴ＤＢ１２１及び作業内容ＤＢ１２２のコピーが格納されており（基本的には、当該ＰＣ２０が管理している作業者用携帯端末３０の端末ＩＤに関するデータのみ）、定期的にネットワーク５を介して履歴管理サーバ１０と作業管理用ＰＣ２０との同期を取ることで、両コンピュータ内のこれらＤＢ内容が同じになるように構成されている。なお、本実施形態では、履歴管理サーバ１０及び作業管理用ＰＣ２０により、作業履歴管理コンピュータが構成されている。
【００３０】
続いて、作業者用携帯端末３０の構成について、図５及び図６を参照して説明する。図５は、作業者用携帯端末３０の外観構成を示す図である。同図に示すように、作業者用携帯端末３０は、電源スイッチ３１、案内ガイドキー３２、０〜９の数字キー３３、エンター（Enter）キー３４、クリアキー３５、ディスプレイ３６、パソコンとの接続用コネクタ３７、スピーカー３８を装備しており、人間が片手で持てる程度の大きさである。これらの部品は、後述する演算装置３０２に接続されており、演算装置３０２との間で情報信号の送受信が可能に構成されている。
【００３１】
電源スイッチ３１は、端末３０の電源をＯＮ／ＯＦＦするためのスイッチであり、案内ガイドキー３２は、後述する案内ガイダンスを開始させるためのキーであり、数字キー３３は、作業者がガイダンスに従って、栽培履歴を選択入力したり、数字を入力したりするためのキーである。また、エンターキー３４は、作業者が数字キー３３を押した後に、入力した数字を確定する際に押すキーである。クリアキー３５は、入力途中の内容を消し、初期化するためのキーである。
【００３２】
また、ディスプレイ３６は、各種文字情報を作業者に呈示するものであり、コネクタ３７は、端末３０とＰＣとをＵＳＢケーブル等の有線で接続するためのインターフェースであり、スピーカー３８は、音声ガイダンス等の音を発するためのものである。
【００３３】
図６は、端末３０内に設置された基板３０１の構成を概略的に示す図である。同図に示すように、基板３０１には、種々の演算・制御を行うための演算装置３０２、種々の情報が格納されると共に作業者が入力したデータが保存される記憶装置（フラッシュメモリ）３０３、航法衛星から発信されている電波信号を受信するＧＰＳ（Global Positioning System）受信器３０４が実装されている。
【００３４】
また、図示は省略したが、作業者用携帯端末３０には電源としての充電池が内蔵されており、作業管理用ＰＣ２０とＵＳＢケーブルで接続した際に、充電されるように構成されている。また、基板３０１には時計機能が実装されている。
【００３５】
以上、本実施形態に係る作業履歴管理システムの構成について説明したが、続いて、本システムの実際の使用態様について説明する。
【００３６】
まず、作業者による作業者用携帯端末３０の使用に先だって行われる、端末３０の設定作業について説明する。この端末設定作業により、端末３０が使用する作業者毎にカスタマイズされる、作業者毎に作業内容情報、入力ガイダンス情報、適正判断情報が設定される。本実施形態では、農協の支所に設置された作業管理用ＰＣ２０を用いながら、農協の担当者と端末を所有する作業者とが、相談しながら端末３０の設定を行う場合を例に挙げて説明する。
【００３７】
図７は、設定作業を行う際に、作業管理用ＰＣ２０のディスプレイに表示される画面の内容を示す図である。この画面は、作業管理用ＰＣ２０の記憶装置内に格納されている設定用プログラムを演算装置が実行することで表示される。同図に示すように、設定画面には、その上部に端末ＩＤ及び生産者名の項目が表示されており、設定される端末３０のＩＤ及びこれを使用する作業者の氏名がここに入力される。入力は、作業管理用ＰＣ２０の入力手段を用いて、農協の担当者又は作業者が入力する。例えば、図４の作業内容ＤＢ１２２に示された、端末ＩＤ「１」及び生産者名「生産者Ａ」が入力される。なお、設定作業において入力される情報は、作業管理用ＰＣ２０内の記憶装置に格納される。
【００３８】
また、図７に示すように、設定画面には、「園地」、「品種」、「作業」、「農薬」（資材名）、「原液量」、「水量」、「適正倍率」のタブが表示されており、設定入力者は、各タブをクリックすることで、各項目の設定画面が現れ、設定を行うことができる。同図には、「園地」の設定画面が表示されている。
【００３９】
「園地」の設定では、当該作業者が保有する園地（圃場）の名称が設定入力される。同図に示すように、３つの園地を有する作業者であれば、３つの園地名が入力される。具体的には、例えば、農協の担当者が、作業者が所有している園地の名称を聞き出し、入力すれば良い。ここで入力された園地名が、後述する作業履歴の入力の際に、作業者用携帯端末３０からアナウンスされることになる。例えば、「園地ナンバーを数字入力してください。園地Ａは１番です。園地Ｂは２番です。園地Ｃは３番です。」といった、入力ガイダンスがアナウンスされる。
【００４０】
なお、図７の下部には、「録音開始」、「録音終了」、「再生」、「停止」のボタンが表示されている。これは、設定作業がされた作業者用携帯端末３０を実際に使用する際に、スピーカー３８から再生される入力ガイダンスの内容を記録するためのボタンである。具体的には、入力者が「録音開始」ボタンを押し、入力ガイダンス情報として作業者に対してアナウンスさせたい内容を発声し、「録音終了」ボタンを押せば、録音が完了する。「再生」、「停止」ボタンにより、録音した内容を確認することができる。
【００４１】
なお、以後の項目設定においての説明は省略するが、この入力内容の音声録音は、上述した全ての設定項目について行われる。こうすることで、作業者が現場で端末３０を使用する際に、スピーカーから音声ガイダンスが流れ、作業者は、この音声ガイダンスに従って、数字キーを押すだけという簡単な操作で、作業履歴を記録することができる。
【００４２】
続いて、順に、「品種」、「作業」、「農薬」（資材名）、「原液量」、「水量」、「適正倍率」の項目が入力設定され、作業管理用ＰＣ２０の記憶装置に格納される。各項目においては、例えば、図４に示す作業内容ＤＢ１２２に示した「品種名」、「作業」、「資材名」、「適正原液量」、「適正水量」、「適正倍率」の名称・値が入力される。なお、適正原液量、適正水量及び適正倍率は、図４に示すように、資材（農薬）毎に、その適正範囲が設定される。
【００４３】
各項目の値を設定し、最後に、図７の下方に示す「登録」ボタンが押されると、入力された設定内容が、ＰＣ２０内の記憶装置に格納されると共に、ネットワーク５を介して、履歴管理サーバ１０に送信され、サーバ本体１１の記憶装置１２０内の作業内容ＤＢ１２２に格納される。そして、さらに、ＵＳＢケーブル等を用いて、作業管理用ＰＣ２０と作業者用携帯端末３０とをコネクタ３７を介して接続し、設定画面に表示される「転送」ボタンを押せば、設定された情報が端末３０へと送信され、端末３０内のメモリ３０３に記録される。これにより、作業者用携帯端末３０には、端末ＩＤを含む作業内容情報、音声による入力ガイダンス情報及び判断情報が登録され、作業者は、この設定済みの作業者用携帯端末３０を持ち帰り、自分の農地で使用することが可能となる。
【００４４】
もちろん、端末３０の設定内容は随時変更可能であり、作業管理用ＰＣ２０において設定用プログラムを立ち上げ、作業内容ＤＢ１２２の内容を書き換えた後に、作業管理用ＰＣ２０と端末３０とを接続し、新しい設定内容を端末３０に転送してメモリ内容を上書きすることで、簡単に設定内容を更新できる。このような本実施形態によれば、ＰＣ操作に慣れた農協の担当者が作業者と相談しながら、各種設定を行うので、ＰＣに不慣れな作業者の端末３０であっても、正確な設定を行うことができる。
【００４５】
なお、上述した設定作業における作業管理用ＰＣ２０による処理は、作業管理用ＰＣ２０の記憶装置内に保持されている作業設定用プログラムを、作業管理用ＰＣ２０の演算装置が実行することで実現される。この作業設定用プログラムは、ＣＤ−ＲＯＭ等によって、作業管理用ＰＣ２０にインストールされるようにしても良いし、ネットワーク５を介して、履歴管理サーバ１０内に格納されているプログラムをＰＣ２０がＡＳＰ的に実行するようにしても良い。
【００４６】
なお、本実施形態では、作業管理用ＰＣ２０を用いて、各種設定を行うようにしたが、履歴管理サーバ１０を用いて各種設定を行うことができるのは言うまでもない。また、各作業管理用ＰＣ２０が管理する端末３０の各種設定内容は、設定する度に履歴管理サーバ１０へと転送するのではなく、常に、各作業管理用ＰＣ２０の記憶装置に保持させておき、定期的に自動で履歴管理サーバ１０と同期を取らせて、履歴管理サーバ１０に情報を集約させるように構成しても良い。
【００４７】
また、本実施形態では、有線（ＵＳＢケーブル）により、作業者用携帯端末３０と作業管理用ＰＣ２０とを接続し、データの転送を行うが、無線ＬＡＮやBluetooth（登録商標）、携帯電話のデータ通信等、無線により接続するように構成しても良い。また、フラッシュメモリーカードやＵＳＢメモリ等の可搬記録媒体を用いたデータのやり取りによりデータ転送を行うようにしても良い。この場合には、ＰＣ２０側で設定したデータを記録媒体に格納した後、この記録媒体を端末３０に差し込み、設定情報をメモリ３０３へ転送するようにすれば良い。
【００４８】
続いて、作業者用携帯端末３０を作業者が実際に農地で使用する際の処理の流れを、図８を参照しながら説明する。図８は、作業者が作業者用携帯端末３０を使用する際の処理の流れを示すフローチャートである。ここでは、作業者が自分の農地である園地に端末３０を持って行って、現地で入力する場合を例に挙げて説明する。本処理では、作業者の作業履歴を端末３０に入力する処理と、作業者の作業支援とが行われる。
【００４９】
まず、ステップ１０（Ｓ１０）において、作業者が自己の所有する所定の園地で作業者用携帯端末３０の電源スイッチ３０をＯＮにすると、端末３０が起動する。そして、演算装置３２がメモリ３０３内の所定のプログラムを実行し、以下に述べる端末３０による所定の処理が実行可能となる。
【００５０】
続いて、Ｓ１１で作業者が案内ガイドキー３２を押すと最初の入力項目１に関する音声案内が行われる。具体的には、メモリ３０３内に記録されている音声入力ガイダンスが、スピーカー３８から流される。本実施形態では、「園地」、「品種」、「作業」、「農薬」（資材名）、「原液量」、「水量」、「適正倍率」の項目入力が順に行われ、項目１「園地」の音声案内では、「園地ナンバーを数字入力してください。園地Ａは１番です。園地Ｂは２番です。園地Ｃは３番です。入力後は、オレンジ色のエンターキーを押してください。」といった入力ガイダンスが流される。
【００５１】
Ｓ１２では、上記ガイダンスを聞いた作業者が、これから入力を行いたい園地の番号を、数字キー３３を使って入力する。例えば、作業者が現在園地Ａにいる場合には、「１」のキーを押せば良い。このとき、入力された数字は、確認用にディスプレイ３６上に表示される。そして、数字の入力値を確定させるため、Ｓ１４では、作業者にエンターキー３４の入力が求められる。例えば、数字「２１」を入力する場合には、作業者は、数字キー３４の「２」、「１」を押した後（ディスプレイ上には「２１」が表示される）に、エンターキー３４を押せば、数字「２１」を入力できる。
【００５２】
Ｓ１４でエンターキー３４が押されると、Ｓ１５に進み、演算装置３０２が、入力された値が正常（適正）な値であるか否かを判定する。この判定は、端末３０の設定作業において設定された名称（値）であるか否か、又は設定値の範囲内であるか否かが判定される。「園地」の入力の場合には、本実施形態では、１番〜３番の園地Ａ〜Ｃが設定されているため、「１」〜「３」の数字が入力されれば正常な入力と判定してＳ１６へと進むが、「１」〜「３」以外の数字が入力された場合には、誤入力と判定してＳ１７へと進む。
【００５３】
正常入力と判定されてＳ１６へ進んだ場合には、園地Ａが、作業が行われた場所としてメモリ３０３に格納されると共に、「園地が登録されました。引き続き、緑色のガイドキーを押してください。」といった確認及び次の入力のためのアナウンスが行われる。一方、誤入力と判定されてＳ１７に進んだ場合には、Ｓ１７において作業者に入力した値が間違っていることを知らせて再度入力を促すための誤入力音声案内が行われ、再度Ｓ１３へと進む。例えば、「入力した値が間違っています。もう一度、やり直してください。」といった入力ガイダンスがスピーカー３８から流される。
【００５４】
Ｓ１６において入力値が格納されると、次の入力項目に関して、Ｓ１１乃至Ｓ１６と同様の工程が繰り返される。なお、Ｓ１２の音声案内において、「品種」、「作業」、「農薬」の項目入力の場合には、端末３０の設定作業時に設定された名称が、対応付けられた番号と共に選択肢としてアナウンスされるので、作業者は、所望の品種、作業、農薬に関連づけられた番号を入力すれば良い（Ｓ１３、Ｓ１４）。
【００５５】
このように、栽培履歴を入力する際に、作業者は、端末３０からの入力ガイダンスに従って、呈示された選択肢の中から何れか一つを選択してその番号を入力するだけで良いので、操作ミスすることも無く、簡単に入力することが可能である。また、端末３０からアナウンスされる選択肢は、予め農協担当者等と相談のうえ設定されたものであるので、作業者は、このアナウンスを聞くことで、作業に必要な情報を得ることもできる。例えば、農薬の名称を忘れてしまった場合でも、アナウンスを聞くことで思い出すことができ、間違った別の農薬を使用してしまうといった作業ミスを防止できる。すなわち、入力ガイダンス情報が、作業を支援する情報として機能することになる。
【００５６】
一方、「原液量」、「水量」を入力する場合には、Ｓ１２の音声案内において、「原液使用量を数字で入力してください。単位はccです。」といったガイダンスが流される。また、Ｓ１５の判定においては、作業者が入力した量が、「適正原液量」、「適正水量」として、端末３０のメモリに格納されている適正範囲内（図４参照）であるか否かが判定される。適正範囲内にない場合には、Ｓ１７に進み、誤入力音声案内として、「正常な使用量ではありません。もう一度、入力をやり直してください。」とアナウンスされる。また、正常な入力値の場合には、Ｓ１６において、入力値がメモリ３０３に格納されると共に、「原液量が登録されました。引き続き、緑色のガイドキーを押してください。」とのアナウンスがなされる。
【００５７】
この適正範囲の判定は、図４に示すように、農薬毎にその適正範囲が設定されている。このように、本実施形態では、原液量、水量及び倍率が、それぞれ適正範囲内にあるか否かを判定するように構成されているので、作業者が誤った量の農薬等を使用してしまうといったミスを極力減らすことが可能となる。例えば、作業者は、ある農薬を使用する際に、使用予定の量を入力して、適正範囲内にあるか否かを確認してから、実際の作業を行うことで、作業ミスを防ぐことができる。
【００５８】
なお、原液と水の比率である適正倍率の判定は、水量の入力が行われた際に、Ｓ１５の判定において、水量の適正判定と一緒に行われる。このように、順に各項目の入力が行われ、Ｓ２０〜Ｓ２５において、最後の項目の入力が行われると、Ｓ３０に進み、入力完了のアナウンスが行われる。本実施形態における最後の項目は、「水量」であり、水量の入力値が正常であれば（Ｓ２４）、Ｓ２５で入力値がメモリ３０３に格納される。
【００５９】
Ｓ３０においては、例えば、「全ての項目の入力が完了しました。お疲れさまでした。」とのアナウンスが流され、これまでの入力された作業履歴が入力日時と共に一つのファイル（図３の作業履歴ＤＢ１２１内の一レコードと同様の内容）として、メモリ３０３に格納され、端末３０における処理が終了する。作業者は、電源をＯＦＦにして（Ｓ３１）、作業を終了する。
【００６０】
なお、Ｓ４０に示すように、クリアキー３５が押された場合には、演算装置３０２は、本入力作業でこれまでに入力されメモリ３０３に格納された入力値を全てクリア（Ｓ４１）し、Ｓ１１へと戻るように制御する。すなわち、電源が最初にＯＮされた状態となる。
【００６１】
以上、作業者による作業者用携帯端末３０への作業履歴入力作業について詳細に説明したが、本実施形態では、作業者用携帯端末３０が備えているＧＰＳ受信器３０４を用いることで、「園地」の手入力を省略して自動で行うことも可能である。この場合には、予め端末３０の設定作業時に園地の場所（緯度・経度による範囲指定）を設定登録しておき、端末３０の電源をＯＮした時に、演算装置３０２がＧＰＳ受信器３０４からの緯度・経度情報を取得し、メモリ３０３内の各園地の場所情報と比較することで、現在の園地を特定して自動入力するように、プログラムを構成すれば良い。これによれば、作業者の手間を省くことができると共に、他の園地を誤って選択するといった入力ミスも防ぐことができる。
【００６２】
なお、本実施形態では、入力ガイダンスを音声ガイダンスとしてスピーカー３８から出力するようにしたが、音声案内に代えて、若しくは音声案内に加えてディスプレイ上にテキストとして入力ガイダンスが表示されるように構成しても良い。この場合には、作業者用携帯端末３０の設定作業時に、入力ガイダンス情報をテキスト情報としても入力設定しておく必要がある。
【００６３】
次に、作業者用携帯端末３０と作業管理用ＰＣ２０との同期作業について説明する。作業者は、一定期間の作業履歴を端末３０に入力した後に、作業管理用ＰＣ２０が設置されている場所（本実施形態では農協）に赴き、作業者用携帯端末３０に記録した栽培履歴情報を作業管理用ＰＣ２０へと転送する。
【００６４】
具体的には、端末３０と作業管理用ＰＣ２０とをＵＳＢケーブルで接続し、ＰＣ２０又は端末３０を操作することで、端末３０のメモリ３０３内に記録されている栽培履歴情報が、ＰＣ２０の記憶装置へと転送される。転送後、メモリ３０３内の栽培履歴情報は削除される。ＰＣ２０内に転送された栽培履歴情報は、ＰＣ２０の記憶装置内の作業履歴ＤＢ１２１に記録される。
【００６５】
上述したように、履歴管理サーバ１０と作業管理用ＰＣ２０内の作業履歴ＤＢ１２１は定期的に同期が取られており、ＰＣ２０へと転送された栽培履歴情報は、履歴管理サーバ１０へと転送されることになる。こうして、履歴管理サーバ１０の作業履歴ＤＢ１２１には、全ての作業者の栽培履歴情報が集められることになる。なお、このデータ転送は定期的に行われる必要があるが、端末３０のメモリ容量や、栽培品種の数等を考慮して、所定の周期で転送を行えば良い。例えば、二週間毎に行われる。
【００６６】
このように集められた栽培履歴情報は、適宜必要な加工を施すことで、貴重なデータとして活用することができる。例えば、作業者、園地、品種毎に、作業内容、使用された農薬及びその量が記録されているため、栽培された農産物を出荷する際には、トレーサビリティのデータとして活用することができる。また、農産物毎に詳細な栽培履歴が分かるので、栽培方法の改良や品種改良等の貴重なデータとして活用することも可能である。
【００６７】
なお、本実施形態では、有線（ＵＳＢケーブル）により、作業者用携帯端末３０と作業管理用ＰＣ２０とを接続し、データの転送を行ったが、無線ＬＡＮやBluetooth（登録商標）、携帯電話のデータ通信等、無線により接続するように構成しても良い。また、フラッシュメモリーカードやＵＳＢメモリ等の可搬記録媒体を用いたデータのやり取りによりデータ転送を行うようにしても良い。この場合には、端末３０側で記録媒体内に栽培履歴情報を格納した後、記録媒体をＰＣ２０に読み込ませるようにすれば良い。
【００６８】
以上、本実施形態に係る作業履歴管理システムについて詳細に説明したが、本作業履歴管理システムによれば、作業者毎、場所毎、品種毎に詳細な栽培履歴情報を得ることができ、非常に貴重なデータを収集できる。また、作業者にとっても、端末に作業履歴を入力する際に、入力をサポートするための音声による入力ガイダンスが流れるため、機械に不慣れな作業者であっても、ミス無く簡単に入力することが可能となる。
【００６９】
また、入力ガイダンス情報として、作業に用いる農薬等の資材が選択肢として呈示されるので、農作業自体の支援にもなると共に、農薬の名前等を入力することなく選択肢に対応する数字キーを押すだけで良いので、手間をかけずに入力できる。また、入力ガイダンスの内容も適宜変更できるので、複雑な作業等を支援するための作業支援ガイダンス等の情報も加えれば、より一層作業の支援を実現できる。
【００７０】
さらには、携帯端末が、入力内容が正常であるか否かを判定し、適切な入力でない場合には、その旨を作業者に知らせるので、入力ミスをほとんど無くすことが可能である。
【００７１】
なお、本発明の実施形態は上記実施形態に限定されるものではなく、本発明の趣旨を逸脱しない範囲内で種々の変形が可能である。例えば、本実施形態では、農業に本発明を適用した場合を例に挙げて説明したが、水産業、畜産業、養殖業、酪農業、工場における作業等、様々な分野に適用できる。この場合には、適用される分野に合わせて、作業者用携帯端末の設定を行えばよい。具体的には、作業設定を行う際に、それぞれの分野に適した項目（作業内容ＤＢ１２２）を設定するようにすれば良い。
【００７２】
また、本実施形態に係る作業内容の項目に、気温、湿度、天候等の項目を加えれば、さらに詳細な作業履歴情報を得ることができる。
【００７３】
また、本実施形態では、充電池で駆動する専用の作業者入力用携帯端末を用いたが、ＰＤＡや携帯電話等に本端末の機能を兼用させるように構成しても良い。この場合には、ＰＤＡや携帯電話に、上記作業者用携帯端末の機能を実現するためのプログラムをインストールすれば良い。
【００７４】
また、本実施形態では、携帯端末に数字キーを設け、数字キーを使って入力するようにしたが、もちろん数字キーに限定されるものではなく、携帯端末にアルファベットキー、かなキー又はカタカナキーを設け、これらのキーで入力するようにしても良いし、これらのキーを複合化したキーであっても良い。
【００７５】
また、上記実施形態では、作業履歴管理コンピュータを、ネットワークを介して接続された別体の履歴管理サーバ及び複数の作業管理用ＰＣから構成したが、単一の作業履歴管理パソコンでこれらの機能を兼用するように構成しても良い。
【図面の簡単な説明】
【００７６】
【図１】図１は、本実施形態に係る作業履歴管理システムの全体構成を概略的に示す図である。
【図２】図２は、本実施形態に係るサーバ本体の構成を概略的に示す図である。
【図３】図３は、本実施形態に係る作業履歴ＤＢ内に記録されている情報の内容を示す図である。
【図４】図４は、本実施形態に係る作業内容ＤＢ内に記録されている情報の内容を示す図である。
【図５】図５は、本実施形態に係る作業者用携帯端末の外観構成を示す図である。
【図６】図６は、本実施形態に係る作業者用携帯端末内に設置された基板の構成を概略的に示す図である。
【図７】図７は、本実施形態に係る作業者用形態端末の設定作業を行う際に、作業管理用ＰＣのディスプレイに表示される画面の内容を示す図である。
【図８】図８は、本実施形態に係る作業者が作業者用携帯端末を使用する際の処理の流れを示すフローチャートである。
【符号の説明】
【００７７】
１      作業履歴管理システム
５      ネットワーク
１０    履歴管理サーバ
１１    サーバ本体
１２    ディスプレイ
１３    キーボード
１１０  演算装置
１２０  記憶装置
１２１  作業履歴ＤＢ
１２２  作業内容ＤＢ
１２３  プログラムＤＢ
２０    作業管理用ＰＣ
３０    作業者用携帯端末
３１    電源スイッチ
３２    案内ガイドキー
３３    数字キー
３４    エンターキー
３５    クリアキー
３６    ディスプレイ
３７    接続用コネクタ
３８    スピーカー
３０１  基板
３０２  演算装置
３０３  メモリ
３０４  ＧＰＳ受信器
【図１】
2008033712.tif 000003
【図２】
2008033712.tif 000004
【図３】
2008033712.tif 000005
【図４】
2008033712.tif 000006
【図５】
2008033712.tif 000007
【図６】
2008033712.tif 000008
【図７】
2008033712.tif 000009
【図８】
2008033712.tif 000010